【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
所与の直径を有する動脈内の狭窄を開くための高速回転式アテローム切除術用デバイスであって、
該動脈の直径未満の最大径を有する、ガイドワイヤと、
該ガイドワイヤ上を前進可能な可撓性の細長い回転可能駆動シャフトであって、
ワイヤ巻きと、
研磨区間を備えている曲線状に予め曲げられた区間と
を備えている、駆動シャフトと
を備えている、高速回転式アテローム切除術用デバイス。
【請求項２】
前記予め曲げられた区間は、高さと、長さとをさらに備えている、請求項１に記載の高速回転式アテローム切除術用デバイス。
【請求項３】
前記予め曲げられた区間は、少なくとも１つの曲り区間をさらに備えている、請求項１に記載の高速回転式アテローム切除術用デバイス。
【請求項４】
前記予め曲げられた区間は、２つの曲り区間をさらに備えている、請求項１に記載の高速回転式アテローム切除術用デバイス。
【請求項５】
前記予め曲げられた区間は、ピークをさらに備えている、請求項１に記載の高速回転式アテローム切除術用デバイス。
【請求項６】
前記研磨区間は、少なくとも部分的に前記ピーク上に配置されている、請求項５に記載の高速回転式アテローム切除術用デバイス。
【請求項７】
それぞれが曲率を備えている２つの曲り区間をさらに備え、該２つの曲り区間の曲率は、実質的に等しい、請求項４に記載の高速回転式アテローム切除術用デバイス。
【請求項８】
それぞれが曲率を備えている２つの曲り区間をさらに備え、該２つの曲り区間の曲率は、実質的に等しくない、請求項４に記載の高速回転式アテローム切除術用デバイス。
【請求項９】
前記駆動シャフトは、遠位端を備え、予め曲げられた区間は、該駆動シャフトの遠位端の近位に配置されている、請求項１に記載の高速回転式アテローム切除術用デバイス。
【請求項１０】
前記研磨区間は、予め曲げられた区間の前記ワイヤ巻き上に研磨塗膜を備えている、請求項１に記載の高速回転式アテローム切除術用デバイス。
【請求項１１】
前記研磨区間は、予め曲げられた区間の前記ワイヤ巻きの少なくとも一部上に研磨塗膜を伴う、前記駆動シャフトの偏心拡大区間を備えている、請求項１に記載の高速回転式アテローム切除術用デバイス。
【請求項１２】
前記研磨区間は、予め曲げられた区間の前記ワイヤ巻きの少なくとも一部上に研磨塗膜を伴う、前記駆動シャフトの同心拡大区間を備えている、請求項１に記載の高速回転式アテローム切除術用デバイス。
【請求項１３】
前記研磨区間は、前記駆動シャフトに取り付けられる偏心研磨クラウンを備えている、請求項１に記載の高速回転式アテローム切除術用デバイス。
【請求項１４】
前記研磨区間は、前記駆動シャフトに取り付けられる同心研磨クラウンを備えている、請求項１に記載の高速回転式アテローム切除術用デバイス。
【請求項１５】
前記研磨区間は、前記駆動シャフトに取り付けられる研磨バーを備えている、請求項１に記載の高速回転式アテローム切除術用デバイス。
【請求項１６】
前記駆動シャフトは、回転軸を備え、予め曲げられた区間は、ピークを備え、該ピークは、該駆動シャフトの回転軸から横方向にオフセットされている、請求項１に記載の高速回転式アテローム切除術用デバイス。
【請求項１７】
少なくとも部分的に前記予め曲げられた区間のピーク上に配置されている前記研磨区間をさらに備えている、請求項１６に記載の高速回転式アテローム切除術用デバイス。
【請求項１８】
ガイドワイヤ上を前進されないとき、曲線外形を有する前記予め曲げられた区間をさらに備えている、請求項１に記載の高速回転式アテローム切除術用デバイス。
【請求項１９】
前記ガイドワイヤ上を前進されるとき、実質的に直線化された直線状外形を有する前記予め曲げられた区間をさらに備えている、請求項１８に記載の高速回転式アテローム切除術用デバイス。
【請求項２０】
形状記憶合金から形成されている前記予め曲げられた区間をさらに備えている、請求項１に記載の高速回転式アテローム切除術用デバイス。
【請求項２１】
複数の曲線外形に動的に適合可能な前記予め曲げられた区間をさらに備えている、請求項２０に記載の高速回転式アテローム切除術用デバイス。
【請求項２２】
所与の直径を有する動脈内の狭窄を開くための高速回転式アテローム切除術用デバイスであって、
該動脈の直径未満の最大径を有する、ガイドワイヤと、
該ガイドワイヤ上を前進可能な可撓性の細長い回転可能駆動シャフトであって、
ワイヤ巻きと、
研磨区間、高さ、長さ、および少なくとも１つの曲り区間を備えている曲線状に予め曲げられた区間とを備えている、駆動シャフトと
を備え、該予め曲げられた区間は、ガイドワイヤ上を前進されないとき、曲線外形を備え、該予め曲げられた区間は、該ガイドワイヤ上を前進されるとき、実質的に直線化された直線状外形をさらに備えている、
デバイス。
【請求項２３】
可撓性駆動シャフトの研磨区間を用いて管腔内に回転径を生成するためのシステムであって、該回転径は、該研磨区間の静止径より大きく、
該システムは、
動脈の直径未満の最大径を有するガイドワイヤと、
該ガイドワイヤ上を前進可能な可撓性の細長い回転可能駆動シャフト、および、その上に研磨区間を備えている曲線状に予め曲げられた区間と、
該駆動シャフトの少なくとも一部が配置されている管腔を有する細長いカテーテルと
を備え、該システムは、
該予め曲げられた区間を該ガイドワイヤ上で前進させて、該予め曲げられた区間を変形させ、実質的に直線化することと、
排除されるべき狭窄の近位の点まで、該ガイドワイヤおよび駆動シャフトを管腔内に前進させることと、
該ガイドワイヤを近位に後退させることと、
該予め曲げられた区間をその非変形かつ曲線外形形態に戻すことを可能にすることと、
該駆動シャフトを回転させることであって、該予め曲げられた区間および研磨区間は、該駆動シャフトの静止径よりも大きい回転径を掃引する、ことと、
該狭窄を研磨することと、
該駆動シャフト管腔を通して、該ガイドワイヤを再挿入することと、
該管腔からの引き抜きのための準備として、該予め曲げられた区間を実質的に直線化するように変形させることと、
該管腔から該ガイドワイヤおよび実質的に直線化された駆動シャフトを引き抜くことと
を行うように構成されている、システム。
【請求項２４】
形状記憶合金を備えている予め曲げられた区間をさらに備え、
前記予め曲げられた区間の曲線外形の動的適合可能制御を提供することを行うようにさらに構成されている、請求項２３に記載のシステム。
【請求項２５】
前記予め曲げられた区間を熱力学的に制御し、該予め曲げられた区間の曲線外形の動的適合可能制御を提供するようにさらに構成されている、請求項２４に記載のシステム。
【請求項２６】
前記予め曲げられた区間を温度制御された生体適合性溶液によって洗い流し、前記動的適合可能制御を提供するようにさらに構成されている、請求項２５に記載のシステム。
【請求項２７】
前記生体適合性溶液の温度を修正し、前記動的適合可能制御を提供するようにさらに構成されている、請求項２６に記載のシステム。
【請求項２８】
電流を使用して、前記動的適合可能制御を提供するようにさらに構成されている、請求項２５に記載のシステム。
【請求項２９】
前記ガイドワイヤに電流を印加し、前記予め曲げられた区間の温度を上昇または低下させ、前記動的適合可能制御を提供するようにさらに構成されている、請求項２８に記載のシステム。
【請求項３０】
ペルティエ素子を使用して、前記予め曲げられた区間の冷却を可能にし、前記動的適合可能制御を提供するようにさらに構成されている、請求項２９に記載のシステム。
【請求項３１】
ニチノールを備えている予め曲げられた区間を提供するようにさらに構成されている、請求項２４に記載のシステム。
【請求項３２】
高速回転式アテローム切除術手技において使用される駆動シャフトの予め曲げられた区間の曲線外形の動的適合可能制御のためのシステムであって、該システムは、
該動脈の直径未満の最大径を有するガイドワイヤと、
該ガイドワイヤ上を前進可能な可撓性の細長い回転可能駆動シャフトと、
該駆動シャフトの少なくとも一部が配置されている管腔を有する細長いカテーテルと、
該駆動シャフト上の曲線状に予め曲げられた区間であって、該駆動シャフトの予め曲げられた区間は、形状記憶合金を備えている、曲線状に予め曲げられた区間と、
少なくとも部分的に該駆動シャフトの予め曲げられた区間上に配置されている研磨区間と
を備え、該システムは、
研磨されるべき狭窄の近位の点まで、該駆動シャフトを該ガイドワイヤ上で前進させ、それによって、該予め曲げられた区間を実質的に直線化された外形に変形させることと、
該ガイドワイヤを引き抜き、該予め曲げられた区間がその非変形曲線外形に復帰することを可能にすることと、
該駆動シャフトを回転させ、該狭窄を研磨することと、
該予め曲げられた区間の温度を熱力学的に制御し、該予め曲げられた区間の曲線外形上に動的適合可能制御を提供することと、
該狭窄を研磨することと
を行うように構成されている、システム。
【手続補正２】
【補正対象書類名】明細書
【補正対象項目名】００２６
【補正方法】変更
【補正の内容】
【００２６】
以下の図面および発明を実施するための形態は、本発明のこれらの実施形態および他の実施形態をより具体的に例示する。
例えば、本発明は以下の項目を提供する。
（項目１）
所与の直径を有する動脈内の狭窄を開くための高速回転式アテローム切除術用デバイスであって、
該動脈の直径未満の最大径を有する、ガイドワイヤと、
該ガイドワイヤ上を前進可能な可撓性の細長い回転可能駆動シャフトであって、
ワイヤ巻きと、
研磨区間を備えている曲線状に予め曲げられた区間と
を備えている、駆動シャフトと
を備えている、高速回転式アテローム切除術用デバイス。
（項目２）
上記予め曲げられた区間は、高さと、長さとをさらに備えている、項目１に記載の高速回転式アテローム切除術用デバイス。
（項目３）
上記予め曲げられた区間は、少なくとも１つの曲り区間をさらに備えている、項目１に記載の高速回転式アテローム切除術用デバイス。
（項目４）
上記予め曲げられた区間は、２つの曲り区間をさらに備えている、項目１に記載の高速回転式アテローム切除術用デバイス。
（項目５）
上記予め曲げられた区間は、ピークをさらに備えている、項目１に記載の高速回転式アテローム切除術用デバイス。
（項目６）
上記研磨区間は、少なくとも部分的に上記ピーク上に配置されている、項目５に記載の高速回転式アテローム切除術用デバイス。
（項目７）
上記予め曲げられた区間は、ピークをさらに備え、該ピークは、上記駆動シャフト上の少なくとも１点を備えている、項目３に記載の高速回転式アテローム切除術用デバイス。
（項目８）
上記予め曲げられた区間は、２つの曲り区間を備え、上記ピークは、実質的に直線状である、項目７に記載の高速回転式アテローム切除術用デバイス。
（項目９）
それぞれが曲率を備えている２つの曲り区間をさらに備え、該２つの曲り区間の曲率は、実質的に等しい、項目４に記載の高速回転式アテローム切除術用デバイス。
（項目１０）
それぞれが曲率を備えている２つの曲り区間をさらに備え、該２つの曲り区間の曲率は、実質的に等しくない、項目４に記載の高速回転式アテローム切除術用デバイス。
（項目１１）
上記駆動シャフトは、遠位端を備え、予め曲げられた区間は、該駆動シャフトの遠位端の近位に配置されている、項目１に記載の高速回転式アテローム切除術用デバイス。
（項目１２）
上記研磨区間は、予め曲げられた区間の上記ワイヤ巻き上に研磨塗膜を備えている、項目１に記載の高速回転式アテローム切除術用デバイス。
（項目１３）
上記研磨区間は、予め曲げられた区間の上記ワイヤ巻きの少なくとも一部上に研磨塗膜を伴う、上記駆動シャフトの偏心拡大区間を備えている、項目１に記載の高速回転式アテローム切除術用デバイス。
（項目１４）
上記研磨区間は、予め曲げられた区間の上記ワイヤ巻きの少なくとも一部上に研磨塗膜を伴う、上記駆動シャフトの同心拡大区間を備えている、項目１に記載の高速回転式アテローム切除術用デバイス。
（項目１５）
上記研磨区間は、上記駆動シャフトに取り付けられる偏心研磨クラウンを備えている、項目１に記載の高速回転式アテローム切除術用デバイス。
（項目１６）
上記研磨区間は、上記駆動シャフトに取り付けられる同心研磨クラウンを備えている、項目１に記載の高速回転式アテローム切除術用デバイス。
（項目１７）
上記研磨区間は、上記駆動シャフトに取り付けられる研磨バーを備えている、項目１に記載の高速回転式アテローム切除術用デバイス。
（項目１８）
上記駆動シャフトは、回転軸を備え、予め曲げられた区間は、ピークを備え、該ピークは、該駆動シャフトの回転軸から横方向にオフセットされている、項目１に記載の高速回転式アテローム切除術用デバイス。
（項目１９）
少なくとも部分的に上記予め曲げられた区間のピーク上に配置されている上記研磨区間をさらに備えている、項目１８に記載の高速回転式アテローム切除術用デバイス。
（項目２０）
ガイドワイヤ上を前進されないとき、曲線外形を有する上記予め曲げられた区間をさらに備えている、項目１に記載の高速回転式アテローム切除術用デバイス。
（項目２１）
上記ガイドワイヤ上を前進されるとき、実質的に直線化された直線状外形を有する上記予め曲げられた区間をさらに備えている、項目２０に記載の高速回転式アテローム切除術用デバイス。
（項目２２）
形状記憶合金から形成されている上記予め曲げられた区間をさらに備えている、項目１に記載の高速回転式アテローム切除術用デバイス。
（項目２３）
ニチノールから形成されている上記予め曲げられた区間をさらに備えている、項目１に記載の高速回転式アテローム切除術用デバイス。
（項目２４）
ある曲線外形に適合されている上記予め曲げられた区間をさらに備えている、項目１に記載の高速回転式アテローム切除術用デバイス。
（項目２５）
複数の曲線外形に動的に適合可能な上記予め曲げられた区間をさらに備えている、項目２２に記載の高速回転式アテローム切除術用デバイス。
（項目２６）
所与の直径を有する動脈内の狭窄を開くための高速回転式アテローム切除術用デバイスであって、
該動脈の直径未満の最大径を有する、ガイドワイヤと、
該ガイドワイヤ上を前進可能な可撓性の細長い回転可能駆動シャフトであって、
ワイヤ巻きと、
研磨区間、高さ、長さ、および少なくとも１つの曲り区間を備えている曲線状に予め曲げられた区間と
を備えている、駆動シャフトと
を備えている、高速回転式アテローム切除術用デバイス。
（項目２７）
所与の直径を有する動脈内の狭窄を開くための高速回転式アテローム切除術用デバイスであって、
該動脈の直径未満の最大径を有する、ガイドワイヤと、
該ガイドワイヤ上を前進可能な可撓性の細長い回転可能駆動シャフトであって、
ワイヤ巻きと、
研磨区間、高さ、長さ、および少なくとも１つの曲り区間を備えている曲線状に予め曲げられた区間とを備えている、駆動シャフトと
を備え、該予め曲げられた区間は、ガイドワイヤ上を前進されないとき、曲線外形を備え、該予め曲げられた区間は、該ガイドワイヤ上を前進されるとき、実質的に直線化された直線状外形をさらに備えている、
デバイス。
（項目２８）
高速回転式アテローム切除術用システムであって、
動脈の直径未満の最大径を有する、ガイドワイヤと、
該ガイドワイヤ上を前進可能な可撓性の細長い回転可能駆動シャフトであって、少なくとも部分的に予め曲げられた区間上に配置されている研磨区間を伴う、予め曲げられた区間を有する、駆動シャフトと、
該駆動シャフトの少なくとも一部が配置されている管腔を有する、細長いカテーテルと
を備えている、システム。
（項目２９）
上記カテーテルに動作可能に接続されている、流体供給ラインと、
制御された温度の生体適合性溶液であって、流体供給ラインを通して、該カテーテル内に促される、生体適合性溶液と
をさらに備えている、項目２８に記載の高速回転式アテローム切除術用システム。
（項目３０）
上記予め曲げられた区間は、高さと、長さとをさらに備えている、項目２８に記載の高速回転式アテローム切除術用システム。
（項目３１）
上記予め曲げられた区間は、少なくとも１つの曲り区間をさらに備えている、項目２８に記載の高速回転式アテローム切除術用デバイス。
（項目３２）
上記予め曲げられた区間は、２つの曲り区間をさらに備えている、項目２８に記載の高速回転式アテローム切除術用デバイス。
（項目３３）
上記予め曲げられた区間は、ピークをさらに備えている、項目２８に記載の高速回転式アテローム切除術用デバイス。
（項目３４）
上記研磨区間は、少なくとも部分的に上記ピーク上に配置されている、項目２８に記載の高速回転式アテローム切除術用デバイス。
（項目３５）
上記予め曲げられた区間は、ピークをさらに備え、該ピークは、上記駆動シャフト上の少なくとも１点を備えている、項目２８に記載の高速回転式アテローム切除術用デバイス。
（項目３６）
上記予め曲げられた区間は、２つの曲り区間を備え、上記ピークは、実質的に直線状である、項目２８に記載の高速回転式アテローム切除術用デバイス。
（項目３７）
それぞれが曲率を備えている２つの曲り区間をさらに備え、該２つの曲り区間の曲率は、実質的に等しい、項目２８に記載の高速回転式アテローム切除術用デバイス。
（項目３８）
それぞれが曲率を備えている２つの曲り区間をさらに備え、該２つの曲り区間の曲率は、実質的に等しくない、項目２８に記載の高速回転式アテローム切除術用デバイス。
（項目３９）
上記駆動シャフトは、遠位端を備え、予め曲げられた区間は、該駆動シャフトの遠位端の近位に配置されている、項目２８に記載の高速回転式アテローム切除術用デバイス。
（項目４０）
上記研磨区間は、予め曲げられた区間の上記ワイヤ巻き上に研磨塗膜を備えている、項目２８に記載の高速回転式アテローム切除術用デバイス。
（項目４１）
上記研磨区間は、予め曲げられた区間の上記ワイヤ巻きの少なくとも一部上に研磨塗膜を伴う、上記駆動シャフトの偏心拡大区間を備えている、項目２８に記載の高速回転式アテローム切除術用デバイス。
（項目４２）
上記研磨区間は、予め曲げられた区間の上記ワイヤ巻きの少なくとも一部上に研磨塗膜を伴う、上記駆動シャフトの同心拡大区間を備えている、項目２８に記載の高速回転式アテローム切除術用デバイス。
（項目４３）
上記研磨区間は、上記駆動シャフトに取り付けられる偏心研磨クラウンを備えている、項目２８に記載の高速回転式アテローム切除術用デバイス。
（項目４４）
上記研磨区間は、上記駆動シャフトに取り付けられる同心研磨クラウンを備えている、項目２８に記載の高速回転式アテローム切除術用デバイス。
（項目４５）
上記研磨区間は、上記駆動シャフトに取り付けられる研磨バーを備えている、項目２８に記載の高速回転式アテローム切除術用デバイス。
（項目４６）
上記駆動シャフトは、回転軸を備え、予め曲げられた区間は、ピークを備え、該ピークは、該駆動シャフトの回転軸から横方向にオフセットされている、項目２８に記載の高速回転式アテローム切除術用デバイス。
（項目４７）
少なくとも部分的に上記予め曲げられた区間のピーク上に配置されている上記研磨区間をさらに備えている、項目２８に記載の高速回転式アテローム切除術用デバイス。
（項目４８）
ガイドワイヤ上を前進されないとき、曲線外形を有する上記予め曲げられた区間をさらに備えている、項目２８に記載の高速回転式アテローム切除術用デバイス。
（項目４９）
上記ガイドワイヤ上を前進されるとき、変形されかつ実質的に直線化された直線状外形を有する上記予め曲げられた区間をさらに備えている、項目４８に記載の高速回転式アテローム切除術用デバイス。
（項目５０）
形状記憶合金から形成されている上記予め曲げられた区間をさらに備えている、項目２８に記載の高速回転式アテローム切除術用デバイス。
（項目５１）
ニチノールから形成されている上記予め曲げられた区間をさらに備えている、項目２８に記載の高速回転式アテローム切除術用デバイス。
（項目５２）
ある曲線外形に適合されている上記予め曲げられた区間をさらに備えている、項目２８に記載の高速回転式アテローム切除術用デバイス。
（項目５３）
複数の曲線外形に動的に適合可能な上記予め曲げられた区間をさらに備えている、項目５０に記載の高速回転式アテローム切除術用デバイス。
（項目５４）
可撓性駆動シャフトの研磨区間を用いて管腔内に回転径を生成するための方法であって、該回転径は、該研磨区間の静止径より大きく、
該方法は、
動脈の直径未満の最大径を有するガイドワイヤを提供することと、
該ガイドワイヤ上を前進可能な可撓性の細長い回転可能駆動シャフトと、その上に研磨区間を備えている曲線状に予め曲げられた区間とを提供することと、
該駆動シャフトの少なくとも一部が配置されている管腔を有する細長いカテーテルを提供することと、
該予め曲げられた区間を該ガイドワイヤ上で前進させて、該予め曲げられた区間を変形させ、実質的に直線化することと、
着目点、例えば、排除されるべき狭窄の近位の点まで、該ガイドワイヤおよび駆動シャフトを管腔、例えば、患者の血管系内を前進させることと、
該ガイドワイヤを近位に後退させることと、
該予め曲げられた区間をその非変形かつ曲線外形形態に戻すことと、
該駆動シャフトを回転させることであって、該予め曲げられた区間および研磨区間は、該駆動シャフトの静止径よりも大きい回転径を掃引する、ことと、
該狭窄を研磨することと、
該駆動シャフト管腔を通して、該ガイドワイヤを再挿入することと、
該管腔、例えば、該患者の血管系からの引き抜きのための準備として、該予め曲げられた区間を実質的に直線化するように変形させることと、
該管腔から該ガイドワイヤおよび実質的に直線化された駆動シャフトを引き抜くことと
を含む、方法。
（項目５５）
形状記憶合金を備えている予め曲げられた区間を提供することと、
上記予め曲げられた区間の曲線外形の動的適合可能制御を提供することと
をさらに含む、項目５４に記載の方法。
（項目５６）
上記予め曲げられた区間を熱力学的に制御し、該予め曲げられた区間の曲線外形の動的適合可能制御を提供することをさらに含む、項目５５に記載の方法。
（項目５７）
上記予め曲げられた区間を温度制御された生体適合性溶液によって洗い流し、上記動的適合可能制御を提供することをさらに含む、項目５６に記載の方法。
（項目５８）
上記生体適合性溶液の温度を修正し、上記動的適合可能制御を提供することをさらに含む、項目５７に記載の方法。
（項目５９）
電流を使用して、上記動的適合可能制御を提供することをさらに含む、項目５６に記載の方法。
（項目６０）
上記ガイドワイヤに電流を印加し、上記予め曲げられた区間の温度を上昇または低下させ、上記動的適合可能制御を提供することをさらに含む、項目５９に記載の方法。
（項目６１）
ペルティエ素子を使用して、上記予め曲げられた区間の冷却を可能にし、上記動的適合可能制御を提供することをさらに含む、項目６０に記載の方法。
（項目６２）
ニチノールを備えている予め曲げられた区間を提供することをさらに含む、項目５５に記載の方法。
（項目６３）
高速回転式アテローム切除術手技において使用される駆動シャフトの予め曲げられた区間の曲線外形の動的適合可能制御のための方法であって、
該動脈の直径未満の最大径を有するガイドワイヤを提供することと、
該ガイドワイヤ上を前進可能な可撓性の細長い回転可能駆動シャフトを提供することと、
細長いカテーテルが、該駆動シャフトの少なくとも一部が配置されている管腔を有することと、
該駆動シャフト上に曲線状に予め曲げられた区間を提供することであって、該駆動シャフトの予め曲げられた区間は、形状記憶合金を備えている、ことと、
少なくとも部分的に該駆動シャフトの予め曲げられた区間上に配置されている研磨区間を提供することと、
研磨されるべき狭窄の近位の点まで、該駆動シャフトを該ガイドワイヤ上で前進させ、それによって、該予め曲げられた区間を実質的に直線化された外形に変形させることと、
該ガイドワイヤを引き抜き、該予め曲げられた区間がその非変形曲線外形に復帰することを可能にすることと、
該駆動シャフトを回転させ、該狭窄を研磨することと、
該予め曲げられた区間の温度を熱力学的に制御し、該予め曲げられた区間の曲線外形上に動的適合可能制御を提供することと、
該狭窄の研磨を継続することと
を含む、方法。
（項目６４）
温度制御された生体適合性溶液によって上記予め曲げられた区間を洗い流し、上記動的適合可能制御を提供することをさらに含む、項目６３に記載の方法。
（項目６５）
上記生体適合性溶液の温度を修正し、上記動的適合可能制御を提供することをさらに含む、項目６４に記載の方法。
（項目６６）
電流を使用して、上記動的適合可能制御を提供することをさらに含む、項目６３に記載の方法。
（項目６７）
上記ガイドワイヤに電流を印加し、上記予め曲げられた区間の温度を上昇および低下させ、上記動的適合可能制御を提供することをさらに含む、項目６６に記載の方法。
（項目６８）
ペルティエ素子を使用して、上記予め曲げられた区間の冷却を可能にし、上記動的適合可能制御を提供することをさらに含む、項目６６に記載の方法。
（項目６９）
ニチノールを備えている予め曲げられた区間を提供することをさらに含む、項目６３に記載の方法。
（項目７０）
予め曲げられた区間を有する駆動シャフトを製造する方法であって、
当該分野において周知のコイル巻き機を使用して、該駆動シャフトを巻くことと、
該巻かれた駆動シャフトの全長を熱処理し、該駆動シャフトコイルを予め弛緩させることと、
予め曲げられた区間のために所望される曲線外形に成形されたマンドレルを、該予め弛緩された駆動シャフトの遠位端近傍の該駆動シャフト管腔内に挿入することと、
該駆動シャフト２０の湾曲部分上で行なわれる局所的熱処置を定位置のマンドレルによって実施することと、
該マンドレルを除去することと
を含む、方法。
（項目７１）
上記予め曲げられた区間を備えているために、形状記憶合金を使用することをさらに含む、項目７０に記載の方法。
（項目７２）
上記予め曲げられた区間を備えているために、ニチノールを使用することをさらに含む、項目７０に記載の方法。